(57)【要約】  ネットワークのトラフィック増大や電子資料の表示遅延の問題を解決し、表示ページを自動的に合わせることができる電子資料提示システムを提供する。電子資料提示システムは、電子資料が格納されたＰＣ（１０６）が接続されるプロジェクタ（１０１）と、上記電子資料が格納されたデータ記憶装置（１０７）が接続されるプロジェクタ（１０２）とを有する。プロジェクタ（１０１）は、ＰＣ（１０６）から供給される上記電子資料のいずれかのページの画像を表示し、該表示画像の画像解析情報をＬＡＮ（１０３）上に送出する。プロジェクタ（１０２）は、データ記憶装置（１０７）に格納された電子資料の各ページの画像解析情報をそれぞれのページを特定可能な情報と対応付けてテーブルに格納し、プロジェクタ（１０１）が送出した画像解析情報に基づいて上記テーブルを検索して上記表示画像に対応するページを特定する。
2009090752.tif 000002
【特許請求の範囲】
【請求項１】
表示内容が異なる複数のページからなる電子資料が格納された外部端末が接続され、該外部端末から供給される前記電子資料のいずれかのページの画像を表示する第１の表示装置と、
外部記憶装置が接続され、該外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納する、少なくとも一つの第２の表示装置と、を有し、
前記第１の表示装置は、前記第２の表示装置がネットワークを介して接続され、表示したページの画像を解析して該表示ページを識別するための画像解析情報を取得し、該取得した画像解析情報を前記ネットワーク上に送出し、
前記第２の表示装置は、前記第１の表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する、電子資料提示システム。
【請求項２】
前記第１および第２の表示装置は、ページの画像の輪郭を抽出し、該抽出した輪郭部分の面積を計算し、該計算結果を該ページの画像解析情報として用いる、請求の範囲１に記載の電子資料提示システム。
【請求項３】
前記第１および第２の表示装置は、ページの画像の輪郭を抽出し、該抽出した輪郭よりなる画像を複数のエリアに分割し、それぞれのエリアにおける輪郭部分の面積を計算し、該エリア毎の計算結果を該ページの画像解析情報として用いる、請求の範囲１に記載の電子資料提示システム。
【請求項４】
前記第１および第２の表示装置は、ページの画像の各画素の輝度レベルを平均した平均輝度レベルを計算し、該計算結果を該ページの画像解析情報として用いる、請求の範囲１乃至３のいずれか１項に記載の電子資料提示システム。
【請求項５】
前記第１および第２の表示装置は、ページの画像を複数のエリアに分割し、それぞれのエリアの各画素の輝度レベルを平均した平均輝度レベルを計算し、該エリア毎の計算結果を該ページの画像解析情報として用いる、請求の範囲１乃至３のいずれか１項に記載の電子資料提示システム。
【請求項６】
前記第１および第２の表示装置は、ページの画像の各画素にて示される色数をカウントし、該カウント結果を該ページの画像解析情報として用いる、請求の範囲１乃至５のいずれか１項に記載の電子資料提示システム。
【請求項７】
前記第１および第２の表示装置は、ページの画像を複数のエリアに分割し、それぞれのエリアの各画素にて示される色数をそれぞれカウントし、該エリア毎のカウント結果を該ページの画像解析情報として用いる、請求の範囲１乃至５のいずれか１項に記載の電子資料提示システム。
【請求項８】
前記第１および第２の表示装置は、ページの画像の各画素にて示される色を表す２つの色差信号の平均を計算し、該計算結果を該ページの画像解析情報として用いる、請求の範囲１乃至８のいずれか１項に記載の電子資料提示システム。
【請求項９】
前記第１および第２の表示装置は、ページの画像を複数のエリアに分割し、それぞれのエリアの各画素にて示される色を表す２つの色差信号の平均をそれぞれ計算し、該エリア毎の計算結果を該ページの画像解析情報として用いる、請求の範囲１乃至３のいずれか１項に記載の電子資料提示システム。
【請求項１０】
表示内容が異なる複数のページからなる電子資料が格納された外部端末が接続され、該外部端末から供給される前記電子資料のいずれかのページの画像を表示する画像表示装置であって、
他の画像表示装置がネットワークを介して接続される通信部と、
表示したページの画像を解析して該表示ページを識別するための画像解析情報を取得する画像解析部と、
前記画像解析部にて得した画像解析情報を、前記通信部を通じて前記ネットワーク上に送出する制御部と、を有する画像表示装置。
【請求項１１】
表示内容が異なる複数のページからなる電子資料が格納された外部記憶装置が接続される画像表示装置であって、
前記外部記憶装置に格納された前記電子資料の各ページの画像を解析してそれぞれのページを識別するための画像解析情報を取得する画像解析部と、
前記画像解析部にて取得した画像解析情報をそれぞれのページを特定可能な情報と対応付けてテーブルに格納する制御部と、
前記電子資料のいずれかのページの画像を表示する他の画像表示装置がネットワークを介して接続される通信部と、を有し、
前記通信部は、前記電子資料のいずれかのページの表示画像に関する画像解析情報を前記他の画像表示装置から受信し、
前記制御部は、前記通信部にて受信した画像解析情報に基づいて前記テーブルを検索して前記表示画像に対応するページを特定し、該特定したページのデータを前記外部記憶装置から取得し、該取得したデータに基づく画像を表示させる、画像表示装置。
【請求項１２】
前記画像解析部は、ページの画像の輪郭を抽出し、該抽出した輪郭部分の面積を計算し、該計算結果を該ページの画像解析情報として用いる、請求の範囲１０または１１に記載の画像表示装置。
【請求項１３】
前記画像解析部は、ページの画像の輪郭を抽出し、該抽出した輪郭よりなる画像を複数のエリアに分割し、それぞれのエリアにおける輪郭部分の面積を計算し、該エリア毎の計算結果を該ページの画像解析情報として用いる、請求の範囲１０または１１に記載の画像表示装置。
【請求項１４】
前記画像解析部は、ページの画像の各画素の輝度レベルを平均した平均輝度レベルを計算し、該計算結果を該ページの画像解析情報として用いる、請求の範囲１０乃至１３のいずれか１項に記載の画像表示装置。
【請求項１５】
前記画像解析部は、ページの画像を複数のエリアに分割し、それぞれのエリアの各画素の輝度レベルを平均した平均輝度レベルを計算し、該エリア毎の計算結果を該ページの画像解析情報として用いる、請求の範囲１０乃至１３のいずれか１項に記載の画像表示装置。
【請求項１６】
前記画像解析部は、ページの画像の各画素にて示される色数をカウントし、該カウント結果を該ページの画像解析情報として用いる、請求の範囲１０乃至１５のいずれか１項に記載の画像表示装置。
【請求項１７】
前記画像解析部は、ページの画像を複数のエリアに分割し、それぞれのエリアの各画素にて示される色数をそれぞれカウントし、該エリア毎のカウント結果を該ページの画像解析情報として用いる、請求の範囲１０乃至１５のいずれか１項に記載の画像表示装置。
【請求項１８】
前記画像解析部は、ページの画像の各画素にて示される色を表す２つの色差信号の平均を計算し、該計算結果を該ページの画像解析情報として用いる、請求の範囲１０乃至１７のいずれか１項に記載の画像表示装置。
【請求項１９】
前記画像解析部は、ページの画像を複数のエリアに分割し、それぞれのエリアの各画素にて示される色を表す２つの色差信号の平均をそれぞれ計算し、該エリア毎の計算結果を該ページの画像解析情報として用いる、請求の範囲１乃至３のいずれか１項に記載の電子資料提示システム。
【請求項２０】
表示内容が異なる複数のページからなる電子資料が格納された外部端末が接続される第１の画像表示装置と、前記電子資料が格納された外部記憶装置が接続される少なくとも一つの第２の画像表示装置とがネットワークを介して接続されるシステムにおいて行われる電子資料提示方法であって、
前記第２の画像表示装置が、前記外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納し、
前記第１の画像表示装置が、前記外部端末から供給される前記電子資料のいずれかのページの画像を表示し、該表示ページの画像を解析して該表示ページを識別するための画像解析情報を取得し、該取得した画像解析情報を前記ネットワーク上に送出し、
前記第２の画像表示装置が、前記第１の画像表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する、電子資料提示方法。
【発明の詳細な説明】
【技術分野】
【０００１】
本発明は、複数の表示装置を備え、同じ内容の電子資料を各表示装置にて表示する電子資料表示システムに関する。
【背景技術】
【０００２】
特開２００６−５１２５９３号公報には、コンピュータと複数のプロジェクタがネットワークを介して接続されたシステムが開示されている。このシステムでは、複数のプロジェクタを別々の部屋に設置し、それぞれのプロジェクタが、コンピュータから提供された電子資料を投写する。
【発明の開示】
【０００３】
しかしながら、特開２００６−５１２５９３号公報に記載のシステムにおいては、コンピュータが、電子資料を各プロジェクタへ一度に送信するため、ネットワークのトラフィックが増大してデータ通信が切断される場合がある。
【０００４】
加えて、電子資料のデータ量が多い場合（例えば、画像情報を含む電子資料の場合）は、コンピュータと各プロジェクタとの間における、電子資料の送受信の処理に時間を要するため、コンピュータにて送信指示を入力してから各プロジェクタにて電子資料が表示されるまでの時間が長くなる。このような電子資料の表示遅延は、システムの利用者にとってあまり好ましくない。
【０００５】
なお、コンピュータを一つのプロジェクタに接続し、他のプロジェクタには電子資料を格納した外部記憶装置を接続する形態とし、他のプロジェクタにおける電子資料の表示を手動により操作することで、上記のトラフィック増大や表示遅延の問題を解決することができる。しかし、この場合は、手動により電子資料の表示を操作するため、誤って違うページを表示する場合がある。
【０００６】
本発明の目的は、上記の問題を解決することのできる、電子資料提示システム、画像表示装置および電子資料提示方法を提供することにある。
【０００７】
上記目的を達成するため、本発明の電子資料提示システムは、
表示内容が異なる複数のページからなる電子資料が格納された外部端末が接続され、該外部端末から供給される前記電子資料のいずれかのページの画像を表示する第１の表示装置と、
外部記憶装置が接続され、該外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納する、少なくとも一つの第２の表示装置と、を有し、
前記第１の表示装置は、前記第２の表示装置がネットワークを介して接続され、表示したページの画像を解析して該表示ページを識別するための画像解析情報を取得し、該取得した画像解析情報を前記ネットワーク上に送出し、
前記第２の表示装置が、前記第１の表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する。
【０００８】
また、本発明の画像表示装置は、
表示内容が異なる複数のページからなる電子資料が格納された外部端末が接続され、該外部端末から供給される前記電子資料のいずれかのページの画像を表示する画像表示装置であって、
他の画像表示装置がネットワークを介して接続される通信部と、
表示したページの画像を解析して該表示ページを識別するための画像解析情報を取得する画像解析部と、
前記画像解析部にて得した画像解析情報を、前記通信部を通じて前記ネットワーク上に送出する制御部と、を有する。
【０００９】
また、本発明の別の画像表示装置は、
表示内容が異なる複数のページからなる電子資料が格納された外部記憶装置が接続される画像表示装置であって、
前記外部記憶装置に格納された前記電子資料の各ページの画像を解析してそれぞれのページを識別するための画像解析情報を取得する画像解析部と、
前記画像解析部にて取得した画像解析情報をそれぞれのページを特定可能な情報と対応付けてテーブルに格納する制御部と、
前記電子資料のいずれかのページの画像を表示する他の画像表示装置がネットワークを介して接続される通信部と、を有し、
前記通信部は、前記電子資料のいずれかのページの表示画像に関する画像解析情報を前記他の画像表示装置から受信し、
前記制御部は、前記通信部にて受信した画像解析情報に基づいて前記テーブルを検索して前記表示画像に対応するページを特定し、該特定したページのデータを前記外部記憶装置から取得し、該取得したデータに基づく画像を表示させる。
【００１０】
また、本発明の電子資料提示方法は、
表示内容が異なる複数のページからなる電子資料が格納された外部端末が接続される第１の画像表示装置と、前記電子資料が格納された外部記憶装置が接続される少なくとも一つの第２の画像表示装置とがネットワークを介して接続されるシステムにおいて行われる電子資料提示方法であって、
前記第２の画像表示装置が、前記外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納し、
前記第１の画像表示装置が、前記外部端末から供給される前記電子資料のいずれかのページの画像を表示し、該表示ページの画像を解析して該表示ページを識別するための画像解析情報を取得し、該取得した画像解析情報を前記ネットワーク上に送出し、
前記第２の画像表示装置が、前記第１の画像表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する。
【図面の簡単な説明】
【００１１】
【図１】本発明の一実施形態である電子資料表示システムの構成を示すブロック図である。
【図２】図１に示す電子資料表示システムを構成する、発表者端末が接続されるプロジェクタの構成を示すブロック図である。
【図３】図１に示す電子資料表示システムを構成する、データ記憶装置が接続されるプロジェクタの構成を示すブロック図である。
【図４】図２に示すプロジェクタによって投写される画像の一例を示す模式図である。
【図５】図４に示す画像の輪郭を抽出した結果を示す模式図である。
【図６】図５に示す輪郭抽出画像を１６分割した例を示す模式図である。
【図７】図６に示す分割エリアの一例を示す拡大図である。
【図８】電子資料の各ページの画像解析結果が格納されるテーブルの一例を示す図である。
【図９】発表者用端末が接続されるプロジェクタの動作を示すフローチャートである。
【図１０】データ記憶装置が接続されるプロジェクタの動作を示すフローチャートである。
【図１１】輪郭情報および輝度情報を用いた画像解析処理を行う、発表者用端末が接続されるプロジェクタの構成を示すブック図である。
【図１２】輪郭情報および輝度情報を用いた画像解析処理を行う、データ記憶装置が接続されるプロジェクタの構成を示すブック図である。
【符号の説明】
【００１２】
１０１、１０２  プロジェクタ
１０３  ＬＡＮ（ローカルエリアネットワーク）
１０４、１０５  画像
１０６  パーソナルコンピュータ（ＰＣ）
１０７  データ記憶装置
【発明を実施するための最良の形態】
【００１３】
以下、本発明における一実施形態を、図面を参照して説明する。【００１４】
図１は、本発明の一実施形態である電子資料表示システムの構成を示すブロック図である。電子資料表示システムは、ＬＡＮ（ローカルエリアネットワーク）１０３を介して接続された２台のプロジェクタ１０１、１０２と、プロジェクタ１０１に接続されたパーソナルコンピュータ（ＰＣ）１０６と、プロジェクタ１０２に接続されたデータ記憶装置１０７とを有する。【００１５】
ＰＣ１０６は、発表者によって使用される発表者端末である。発表者端末は、プログラムにより動作する通信機能を備えたコンピュータシステムよりなる。コンピュータシステムの主要部は、プログラムやデータなどを蓄積する記憶装置、キーボードやマウスなどの入力装置、ＣＲＴやＬＣＤなどの表示装置、外部との通信を行うモデムなどの通信装置、プリンタなどの出力装置および入力装置からの入力を受け付けて通信装置、出力装置、表示装置の動作を制御する制御装置から構成される。【００１６】
発表用電子資料に関するデータがＰＣ１０６の記憶装置に予め格納される。発表用電子資料は、表示内容の異なる複数のページからなり、各ページの画像データが発表用電子資料としてＰＣ１０６の記憶装置に格納される。ＰＣ１０６では、制御装置が、入力装置からの入力にて指定された電子資料データを記憶装置から読み出してプロジェクタ１０１に送信する。【００１７】
データ記憶装置１０７は、半導体メモリなどに代表される記憶装置であって、外部装置との間でデータを送受信するためのインタフェース部を備えている。データ記憶装置１０７には、ＰＣ１０６に格納された発表用電子資料と同じデータが格納されている。【００１８】
プロジェクタ１０１、１０２は、いずれもネットワークを通じて外部装置との間でデータを送受信するための通信機能を備えたネットワークプロジェクタである。本実施形態では、プロジェクタ１０１、１０２は、別々の場所に設置されている。【００１９】
プロジェクタ１０１は、ＰＣ１０６から供給される画像信号に基づく画像１０４をスクリーン上に投写する。プロジェクタ１０２は、画像１０４に対応する画像１０５をデータ記憶装置１０７から読み出してスクリーン上に投写する。画像１０４、１０５として同一の画像を投写することで、別々の場所に居る参加者が、同一資料を見ながら会議を行うことができる。【００２０】
図２は、プロジェクタ１０１の構成を示すブロック図である。図２を参照すると、プロジェクタ１０１の主要部は、画像解析部６０２、制御部６０３、メモリ６０４および通信部６０５からなる。【００２１】
画像解析部６０２は、ＰＣ１０６から供給された画像データ６０１の画像解析を行う。画像解析結果（画像解析情報）は、画像解析部６０２から制御部６０３に供給される。通信部６０５は、ＬＡＮを介して外部装置と接続され、外部装置との間でデータを送受信する。【００２２】
制御部６０３は、プロジェクタ１０１全体の動作を制御する他、画像解析部６０２から供給された画像解析結果を通信部６０５経由でプロジェクタ１０２に送信する。また、制御部６０３は、ＰＣ１０６から供給された画像データを画像メモリ６０６に書き込む。【００２３】
メモリ６０４は、プロジェクタ１０１を動作させるために必要なプログラムやデータを格納するためのものである。画像メモリ６０６は例えばフレームメモリである。プロジェクタ１０１では、この画像メモリ６０６に格納された画像データに基づく画像が投写光学系によってスクリーン上に投写される。【００２４】
図３は、プロジェクタ１０２の構成を示すブロック図である。図３を参照すると、プロジェクタ１０２の主要部は、外部記憶装置用インタフェース７０１、画像解析部７０２、制御部７０３、メモリ７０４、通信部７０５および画像メモリ７０６からなる。【００２５】
外部記憶装置用インタフェース７０１は、外部記憶装置である図１に示したデータ記憶装置１０７と接続される。画像解析部７０２は、外部記憶装置用インタフェース７０１を通じてデータ記憶装置１０７から発表用電子資料を読み出し、その読み出した発表用電子資料の各ページの画像解析を行う。画像解析結果は、画像解析部７０２から制御部７０３に供給される。【００２６】
通信部７０５は、プロジェクタ１０１から画像解析結果を受信する。プロジェクタ１０１から受信した画像解析結果は、通信部７０５から制御部７０３に供給される。【００２７】
制御部７０３は、プロジェクタ１０２全体の動作を制御する他、通信部７０５を介してプロジェクタ１０１から受信した指定ページの画像解析結果と、画像解析部７０２による各ページの画像解析結果とを比較する。この比較において、指定ページの画像解析結果が各ページの画像解析結果のいずれかと合致した場合は、制御部７０３は、解析結果の合致したページに関する画像データをデータ記憶装置１０７から取得する。制御部７０３は、取得した画像データを画像メモリ７０６に書き込む。【００２８】
メモリ７０４は、プロジェクタ１０２を動作させるために必要なプログラムやデータを格納するためのものである。画像メモリ７０６は例えばフレームメモリである。プロジェクタ１０２では、この画像メモリ７０６に格納された画像データに基づく画像が投写光学系によってスクリーン上に投写される。【００２９】
次に、本実施形態の電子資料表示システムの動作について具体的に説明する。【００３０】
まず、画像解析部６０２、７０２による画像解析の処理について説明する。この画像解析では、電子資料データ（画像データ）に対して、輪郭検出による画像解析処理が行われる。【００３１】
図４に、プロジェクタ１０１によって投写される画像１０４の一例を示す。この画像１０４は、アルファベットの「Ａ」という文字を画面一杯に表示した画像である。画像解析処理では、「Ａ」という画像の輪郭を抽出する。【００３２】
輪郭抽出処理において、例えば、画像解析部６０２は、ＰＣ１０６から供給された画像データＤ１の高周波成分（エッジ成分）を除去して画像データＤ２を生成し、元の画像データＤ１から画像データＤ２を差し引くことで得られる。図５に、図４に示した画像の輪郭を抽出した結果を示す。図５に示す例では、文字「Ａ」のエッジ部分が抽出されている。【００３３】
画像解析部６０２は、図５に示した文字「Ａ」の輪郭抽出画像を１６分割する。図６に、文字「Ａ」の輪郭抽出画像を１６分割した例を模式的に示す。図６に示す例では、輪郭抽出画像は、４行４列の１６個のエリアに分割されている。行（縦位置）を示す符号をＡ〜Ｄとし、列（横位置）を示す符号を１〜４とする。【００３４】
さらに、画像解析部６０２は、それぞれのエリアについて、輪郭部分の面積を計算する。図７に、図６に示したエリア構成における縦位置Ａおよび横位置３のエリアの拡大図を示す。画像解析部６０２は、図７に示したエリア内の黒い部分（輪郭部分）の面積を計算する。【００３５】
全てのエリアについて輪郭部分の面積を計算した後、制御部６０３は、画像解析部６０２による各エリアの輪郭部分の面積の計算結果を含む画像解析結果を、通信部６０５を介してＬＡＮ回線上に送出する。１６分割エリアの場合、画像解析結果は、エリアの位置情報（例えば「Ａ−１」）とそのエリアにおける輪郭部分の面積の計算結果とを含む。【００３６】
画像解析部６０２による画像解析およびその画像解析結果のＬＡＮ回線上への送出は、画像信号がＰＣ１０６からプロジェクタ１０１に供給される度（投写される画像１０４の内容が切り替わる度）に実行される。画像解析処理を行った画像が他の画像に切り替わるまでの期間において、画像解析部６０２は、一度または常時、その画像解析結果をＬＡＮ回線上に送出する。【００３７】
画像解析部７０２の画像解析処理も、画像解析部６０２の画像解析処理と同じである。ただし、画像解析部７０２は、データ記憶装置１０７に格納されている発表用電子資料の各ページについて画像解析を行う。【００３８】
各ページの画像解析において、画像解析部７０２は、輪郭抽出画像を生成し、その輪郭抽出画像を１６個のエリアに分割し、各エリアにおける輪郭部分の面積を計算する。そして、画像解析部７０２は、ページ毎に、エリアの位置情報（例えば「Ａ−１」）とそのエリアにおける輪郭部分の面積の計算結果とを含む画像解析結果を制御部７０３に供給する。【００３９】
制御部７０３は、画像解析部７０２から供給された各ページの画像解析結果をメモリ７０４に格納する。図８に、各ページの画像解析結果が格納されるテーブルの一例を示す。図８に示すテーブルは、輪郭抽出画像を１６個のエリアに分割した場合の画像解析結果の一例である。テーブルは、ページを特定するための識別情報であるページ番号（０、１、２、・・・）の項目と、エリアの位置情報（例えば「Ａ−１」）を示す項目とからなり、ページ毎に、各エリアの輪郭部分の面積の計算結果が格納される。ここで、ページ番号は、データ記憶装置１０７に格納されている発表用電子資料の各ページの番号に対応する。【００４０】
次に、プロジェクタ１０１、１０２における電子資料の表示動作について説明する。【００４１】
（１）プロジェクタ１０１の動作：
図９は、発表者用端末が接続されるプロジェクタ１０１の動作を示すフローチャートである。以下、図１、図２および図９を参照して動作を説明する。【００４２】
画像データがＰＣ１０６からプロジェクタ１０１に供給されると（ステップＳ１０の「ＹＥＳ」）、まず、制御部６０３が、その供給された画像データを画像メモリ６０６に格納する。これにより、ＰＣ１０６からの画像データに基づく画像が投写される（ステップＳ１１）。【００４３】
次に、画像解析部６０２が、ＰＣ１０６から供給された画像データについて輪郭抽出処理を行う（ステップＳ１２）。そして、画像解析部６０２が、その輪郭抽出処理により得られた輪郭抽出画像を複数のエリアに分割し（ステップＳ１３）、各エリアにおける輪郭部分の面積を計算する（ステップＳ１４）。【００４４】
最後に、制御部６０３が、画像解析部６０２にて計算した各エリアにおける輪郭部分の面積の情報を含む画像解析結果を、通信部６０５を通じてＬＡＮ回線上に送出する。【００４５】
（２）プロジェクタ１０２の動作：
プロジェクタ１０２は、ＬＡＮ１０３に接続されており、プロジェクタ１０１との通信が可能なようにネットワーク接続設定がなされている。ネットワーク接続設定は、一般のＬＡＮにおける接続設定である。また、データ記憶装置１０７がプロジェクタ１０２に接続されており、メモリ７０４には、データ記憶装置１０７に格納されている発表用電子資料の各ページに関する画像解析結果を格納したテーブルが作成されている。【００４６】
図１０は、プロジェクタ１０２の動作を示すフローチャートである。以下、図１、図３および図１０を参照して動作を説明する。【００４７】
画像解析結果がプロジェクタ１０１からプロジェクタ１０２に供給されると（ステップＳ２０の「ＹＥＳ」）、まず、制御部７０３が、メモリ７０４に格納されているテーブル内に、プロジェクタ１０１から受信した画像解析結果と合致するページがあるか否かを調べる（ステップＳ２１）。【００４８】
プロジェクタ１０１からの画像解析結果と合致するページがある場合は、制御部７０３が、そのページの画像データをデータ記憶装置１０７から読み出す（ステップＳ２２）。そして、制御部７０３が、その読み出した画像データを画像メモリ７０６に格納する。これにより、データ記憶装置１０７から読み出した画像データに基づく画像が投写される（ステップＳ２３）。この投写画像は、プロジェクタ１０１の投写画像と同じ画像である。【００４９】
なお、テーブル内に合致するものがない場合は、制御部７０３は、その旨を示す所定のエラーメッセージを表示するための画像データを画像メモリ７０６に書き込む。これにより、投写画面上に、所定のエラーメッセージが表示される。【００５０】
以上の本実施形態の電子資料表示システムによれば、表示内容が異なる複数のページからなる電子資料が格納されたＰＣ１０６がプロジェクタ１０１に接続され、上記電子資料が格納されたデータ記憶装置１０７がプロジェクタ１０２に接続される。プロジェクタ１０１において、制御部６０３が、ＰＣ１０６から供給される上記電子資料のいずれかのページの画像を表示させ、画像解析部６０２が、その表示したページの画像を解析して該表示ページを識別するための画像解析情報を取得する。そして、制御部６０３が、画像解析部６０２にて取得した画像解析情報をＬＡＮ１０３上に送出する。一方、プロジェクタ１０２において、画像解析部７０２が、データ記憶装置１０７に格納された上記電子資料の各ページの画像を解析してそれぞれのページを識別するための画像解析情報を取得し、制御部７０３が、その取得した画像解析情報をそれぞれのページを特定可能な情報と対応付けてテーブルに格納する。そして、制御部７０３が、プロジェクタ１０１からの画像解析情報に基づいて上記テーブルを検索して上記表示ページに対応するページを特定し、該特定したページのデータをデータ記憶装置１０７から取得し、該取得したデータに基づく画像を表示させる。このような構成により、プロジェクタ１０１にて表示される画像１０４と同じ内容の画像１０５が、自動的に、プロジェクタ１０２にて表示される。よって、例えば、同一資料をもとにテレビ会議や電話会議等を行う場合において、資料のページ送りの間違いを抑制することができ、その結果、円滑な会議が可能となる。【００５１】
加えて、プロジェクタ１０１には、ＰＣ１０６から電子資料が供給され、プロジェクタ１０２には、データ記憶装置１０７から電子資料が供給されるようになっており、ＰＣと各プロジェクタとの間でネットワークを通じて電子資料を送受信する必要はない。プロジェクタ間で送受信されるデータは画像解析情報であり、この画像解析情報のデータ量は、電子資料のページの画像データに比較して少ない。したがって、ネットワークのトラフィック増大や電子資料の表示遅延の問題は生じない。【００５２】
（他の実施形態）
図１に示した電子資料表示システムでは、各プロジェクタにおける画像解析処理として輪郭検出による画像解析処理を用いているが、本発明はこれに限定されるものではない。ページを特定することができるのであれば、どのような画像解析処理を用いてもよい。適用可能な画像解析処理としては、例えば、画像データの輝度情報や色情報を用いた画像解析処理がある。【００５３】
輝度情報を用いた画像解析処理について説明する。輝度情報を用いた画像解析処理では、ページの画像の各画素の輝度レベルを平均した平均輝度レベル（ＡＰＬ）を計算し、該計算結果を該ページの画像解析情報として用いる。このＡＰＬ計算において、画像全体のＡＰＬを求めてよく、また、画像を複数のエリアに分割し、各エリアのＡＰＬを計算してもよい。【００５４】
プロジェクタ１０１では、画像解析部６０２が、ＰＣ１０６から供給された画像データに基づく画像に対して輝度情報を用いた画像解析処理を行う。そして、制御部６０３が、その画像解析結果を、通信部６０５を通じてＬＡＮ上に送出する。一方、プロジェクタ１０２では、画像解析部７０２が、データ記憶装置１０７に格納されている発表用電子資料の各ページに関する画像データに基づく画像に対して、輝度情報を用いた画像解析処理を行う。そして、制御部７０３が、その画像解析結果を、メモリ７０４内のテーブルに格納する。プロジェクタ１０１、１０２における表示動作は図９、図１０に示した手順と同じである。【００５５】
色情報を用いた画像解析処理について説明する。色情報としては、画像の色数に関する第１の色情報と、色差信号に基づく第２の色情報とがある。【００５６】
第１の色情報による画像解析処理では、ページの画像の各画素にて示される色数をカウントし、該カウント結果を該ページの画像解析情報として用いる。この色数のカウントにおいて、画像全体の色数をカウントしてもよく、また、画像を複数のエリアに分割し、各エリアの色数をカウントしてもよい。【００５７】
プロジェクタ１０１では、画像解析部６０２が、ＰＣ１０６から供給された画像データに基づく画像に対して第１の色情報による画像解析処理を行う。そして、制御部６０３が、その画像解析結果を、通信部６０５を通じてＬＡＮ上に送出する。一方、プロジェクタ１０２では、画像解析部７０２が、データ記憶装置１０７に格納されている発表用電子資料の各ページに関する画像データに基づく画像に対して、第１の色情報による画像解析処理を行う。そして、制御部７０３が、その画像解析結果を、メモリ７０４内のテーブルに格納する。プロジェクタ１０１、１０２における表示動作は図９、図１０に示した手順と同じである。【００５８】
８ビット処理の場合は、赤、青、緑をそれぞれ２５６段階のレベルで現す。この場合、画素にて表示可能な色数は、［２５６×２５６×２５６］種類となる。第１の色情報による画像解析処理では、各画素にて示される色が何種類あるかが計算される。【００５９】
第２の色情報による画像解析処理では、ページの画像の各画素にて示される色を表す２つの色差信号（Ｒ−Ｙ信号およびＢ−Ｙ信号）の平均を計算し、該計算結果を該ページの画像解析情報として用いる。色差信号の平均値の計算において、画像全体の色差信号の平均値を計算してもよく、また、画像を複数のエリアに分割し、各エリアについて、色差信号の平均値を計算してもよい。【００６０】
プロジェクタ１０１では、画像解析部６０２が、ＰＣ１０６から供給された画像データに基づく画像に対して第２の色情報による画像解析処理を行う。そして、制御部６０３が、その画像解析結果を、通信部６０５を通じてＬＡＮ上に送出する。一方、プロジェクタ１０２では、画像解析部７０２が、データ記憶装置１０７に格納されている発表用電子資料の各ページに関する画像データに基づく画像に対して、第２の色情報による画像解析処理を行う。そして、制御部７０３が、その画像解析結果を、メモリ７０４内のテーブルに格納する。プロジェクタ１０１、１０２における表示動作は図９、図１０に示した手順と同じである。【００６１】
以上説明した実施形態の構成および動作は本発明の一例であり、本発明は、これに限定されるものではない。本発明の構成および動作については、発明の趣旨を逸脱しない範囲において、当業者が理解し得る様々な変更を行うことができる。【００６２】
例えば、図１に示したシステムでは、２台のプロジェクタが使用されているが、本発明はこれに限定されるものではない。３台以上のプロジェクタがＬＡＮを介して接続されてもよい。３台以上のプロジェクタによりシステムを構成する場合は、１台のプロジェクタが図２に示した構成とされ、他のプロジェクタが図３に示した構成とされる。【００６３】
また、複数のプロジェクタによりシステムを構成する場合において、各プロジェクタが、図２および図３に示した各機能を有していてもよい。【００６４】
また、画像解析処理において、輪郭情報、輝度情報および色情報の少なくとも２つの情報を用いてもよい。【００６５】
以下に、プロジェクタ１０１、１０２にて、輪郭情報および輝度情報を用いた画像解析処理を行う形態について説明する。【００６６】
図１１に、輪郭情報および輝度情報を用いた画像解析処理を行うプロジェクタ１０１の構成を示す。図１１に示すプロジェクタ１０１は、画像解析部６０２に代えて画像解析部６０２ａ、６０２ｂを設けた以外は、図２に示した構成と同じものである。【００６７】
ＰＣ１０６からの画像データが、画像解析部６０２ａ、６０２ｂのそれぞれに供給されている。【００６８】
画像解析部６０２ａは、図２に示した画像解析部６０２と同じものであって、ＰＣ１０６から供給された画像データについて輪郭抽出処理を行い、それにより得られた輪郭抽出画像を複数のエリアに分割し、各エリアにおける輪郭部分の面積を計算する。画像解析部６０２ｂは、ＰＣ１０６から供給された画像データについて、上述した輝度情報による画像解析処理を行う。画像解析部６０２ａ、６０２ｂによる各画像解析結果は制御部６０３に供給される。【００６９】
制御部６０３は、画像解析部６０２ａ、６０２ｂの各画像解析結果を、通信部６０５を介してＬＡＮ回線上に送出する。【００７０】
図１２に、輪郭情報および輝度情報を用いた画像解析処理を行うプロジェクタ１０２の構成を示す。図１２に示すプロジェクタ１０２は、画像解析部７０２に代えて画像解析部７０２ａ、７０２ｂを設けた以外は、図３に示した構成と同じものである。【００７１】
画像解析部７０２ａ、７０２ｂは、外部記憶装置用インタフェース７０１を介してデータ記憶装置１０７と接続される。画像解析部７０２ａは、図３に示した画像解析部７０２と同じものであって、データ記憶装置１０７から発表用電子資料を読み出し、その読み出した発表用電子資料の各ページの画像解析を行う。この画像解析結果は、画像解析部７０２から制御部７０３に供給される。【００７２】
画像解析部７０２ｂは、データ記憶装置１０７から発表用電子資料を読み出し、その読み出した発表用電子資料の各ページの画像データにより示される画像について、上述した輝度情報による画像解析処理を行う。この画像解析結果は、画像解析部７０２から制御部７０３に供給される。【００７３】
制御部７０３は、画像解析部７０２ａ、７０２ｂからの各ページに関する画像解析結果をメモリ７０４内のテーブルに格納する。プロジェクタ１０１、１０２における表示動作は図９、図１０に示した手順と同じである。【００７４】
上述の各実施形態における電子資料提示システムは、ネットワークを介して接続された複数のプロジェクタにより構成されているが、本発明は、これに限定されるものではない。プロジェクタに代えて、液晶ディスプレイやプラズマディスプレイなどの画像表示装置を用いてもよい。この場合も、発表者端末が接続される画像表示装置は図２に示した構成を有し、外部記憶装置（データ記憶装置）が接続される画像表示装置は図３に示した構成を有する。
【図１】
2009090752.tif 000003
【図２】
2009090752.tif 000004
【図３】
2009090752.tif 000005
【図４】
2009090752.tif 000006
【図５】
2009090752.tif 000007
【図６】
2009090752.tif 000008
【図７】
2009090752.tif 000009
【図８】
2009090752.tif 000010
【図９】
2009090752.tif 000011
【図１０】
2009090752.tif 000012
【図１１】
2009090752.tif 000013
【図１２】
2009090752.tif 000014
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
表示内容が異なる複数のページからなる電子資料が格納された外部端末が接続され、該外部端末から供給される前記電子資料のいずれかのページの画像を表示する画像表示装置であって、
他の画像表示装置がネットワークを介して接続される通信部と、
表示したページの画像を解析して該表示ページを識別するための画像解析情報を取得する画像解析部と、
前記画像解析部にて得した画像解析情報を、前記通信部を通じて前記ネットワーク上に送出する制御部と、を有する画像表示装置。
【請求項２】
表示内容が異なる複数のページからなる電子資料が格納された外部記憶装置が接続される画像表示装置であって、
前記外部記憶装置に格納された前記電子資料の各ページの画像を解析してそれぞれのページを識別するための画像解析情報を取得する画像解析部と、
前記画像解析部にて取得した画像解析情報をそれぞれのページを特定可能な情報と対応付けてテーブルに格納する制御部と、
前記電子資料のいずれかのページの画像を表示する他の画像表示装置がネットワークを介して接続される通信部と、を有し、
前記通信部は、前記電子資料のいずれかのページの表示画像に関する画像解析情報を前記他の画像表示装置から受信し、
前記制御部は、前記通信部にて受信した画像解析情報に基づいて前記テーブルを検索して前記表示画像に対応するページを特定し、該特定したページのデータを前記外部記憶装置から取得し、該取得したデータに基づく画像を表示させる、画像表示装置。
【請求項３】
前記画像解析部は、ページの画像の輪郭を抽出し、該抽出した輪郭部分の面積を計算し、該計算結果を該ページの画像解析情報として用いる、請求項１または２に記載の画像表示装置。
【請求項４】
前記画像解析部は、ページの画像の輪郭を抽出し、該抽出した輪郭よりなる画像を複数のエリアに分割し、それぞれのエリアにおける輪郭部分の面積を計算し、該エリア毎の計算結果を該ページの画像解析情報として用いる、請求項１または２に記載の画像表示装置。
【請求項５】
前記画像解析部は、ページの画像の各画素の輝度レベルを平均した平均輝度レベルを計算し、該計算結果を該ページの画像解析情報として用いる、請求項１から４のいずれか１項に記載の画像表示装置。
【請求項６】
前記画像解析部は、ページの画像を複数のエリアに分割し、それぞれのエリアの各画素の輝度レベルを平均した平均輝度レベルを計算し、該エリア毎の計算結果を該ページの画像解析情報として用いる、請求項１から４のいずれか１項に記載の画像表示装置。
【請求項７】
前記画像解析部は、ページの画像の各画素にて示される色数をカウントし、該カウント結果を該ページの画像解析情報として用いる、請求項１から６のいずれか１項に記載の画像表示装置。
【請求項８】
前記画像解析部は、ページの画像を複数のエリアに分割し、それぞれのエリアの各画素にて示される色数をそれぞれカウントし、該エリア毎のカウント結果を該ページの画像解析情報として用いる、請求項１から６のいずれか１項に記載の画像表示装置。
【請求項９】
表示内容が異なる複数のページからなる電子資料が格納された外部端末が接続され、該外部端末から供給される前記電子資料のいずれかのページの画像を表示する第１の表示装置と、
外部記憶装置が接続され、該外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納する、少なくとも一つの第２の表示装置と、を有し、
前記第１の表示装置は、前記第２の表示装置がネットワークを介して接続され、表示したページの画像を解析して該表示ページを識別するための画像解析情報を取得し、該取得した画像解析情報を前記ネットワーク上に送出し、
前記第２の表示装置は、前記第１の表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する、電子資料提示システム。
【請求項１０】
表示内容が異なる複数のページからなる電子資料が格納された外部端末が接続される第１の画像表示装置と、前記電子資料が格納された外部記憶装置が接続される少なくとも一つの第２の画像表示装置とがネットワークを介して接続されるシステムにおいて行われる電子資料提示方法であって、
前記第２の画像表示装置が、前記外部記憶装置に格納された前記電子資料の各ページの画像を解析してそれぞれのページを識別するための画像解析情報を取得し、該取得した画像解析情報をそれぞれのページを特定可能な情報と対応付けてテーブルに格納し、
前記第１の画像表示装置が、前記外部端末から供給される前記電子資料のいずれかのページの画像を表示し、該表示ページの画像を解析して該表示ページを識別するための画像解析情報を取得し、該取得した画像解析情報を前記ネットワーク上に送出し、
前記第２の画像表示装置が、前記第１の画像表示装置が送出した前記表示ページの画像解析情報に基づいて前記テーブルを検索して前記表示ページに対応するページを特定し、該特定したページのデータを前記外部記憶装置から取得し、該取得したデータに基づく画像を表示する、電子資料提示方法。
【国際調査報告】
2009090752.tif 000015
2009090752.tif 000016
2009090752.tif 000017
2009090752.tif 000018